(57)【要約】【課題】  ネットワーク接続の異常の原因を利用者に認識させることを容易化することができる電子機器および表示制御プログラムを提供する。【解決手段】  表示部と、ネットワーク通信部とを備えるＭＦＰは、ＭＦＰ内のネットワーク設定に依存しないネットワーク接続である設定非依存接続の確立の可否を検出し、設定非依存接続の確立ができていないことが検出された場合に（Ｓ１６２でＮＯ）、ネットワーク通信部によるネットワークを介した通信を利用する通信利用機能の実行の指示のための操作を受け付ける通信利用機能実行ボタン（Ｓ１６３でＹＥＳ）を操作ができない状態で表示部に表示させる（Ｓ１６５）ことを特徴とする。【選択図】  図５
2014236359.tif 000002
【特許請求の範囲】
【請求項１】
表示部と、
通信部とを備える電子機器であって、
前記通信部によるネットワークを介した通信を利用する通信利用機能の実行の指示のための操作を受け付ける通信利用機能実行用画像を前記表示部に表示させる表示制御手段と、
前記電子機器内のネットワーク設定に依存しないネットワーク接続である設定非依存接続の確立の可否を検出する接続検出手段とを備え、
前記表示制御手段は、前記設定非依存接続の確立ができていないことが前記接続検出手段によって検出された場合、操作ができない状態の前記通信利用機能実行用画像を前記表示部に表示させることを特徴とする電子機器。
【請求項２】
前記電子機器の起動を停止する起動停止手段を備え、
前記起動停止手段は、前記電子機器の起動中に前記設定非依存接続の確立ができていないことが前記接続検出手段によって検出された場合に、前記設定非依存接続の確立ができたことが前記接続検出手段によって検出されるまで、前記起動を停止することを特徴とする請求項１に記載の電子機器。
【請求項３】
前記設定非依存接続は、ＯＳＩ（Ｏｐｅｎ  Ｓｙｓｔｅｍｓ  Ｉｎｔｅｒｃｏｎｎｅｃｔｉｏｎ）参照モデルの第４層以下の接続であることを特徴とする請求項１または請求項２に記載の電子機器。
【請求項４】
表示部と、
通信部とを備える電子機器によって実行される表示制御プログラムであって、
前記通信部によるネットワークを介した通信を利用する通信利用機能の実行の指示のための操作を受け付ける通信利用機能実行用画像を前記表示部に表示させる表示制御手段、および、
前記電子機器内のネットワーク設定に依存しないネットワーク接続である設定非依存接続の確立の可否を検出する接続検出手段として前記電子機器を機能させ、
前記表示制御手段は、前記設定非依存接続の確立ができていないことが前記接続検出手段によって検出された場合、操作ができない状態の前記通信利用機能実行用画像を前記表示部に表示させることを特徴とする表示制御プログラム。
【発明の詳細な説明】
【技術分野】
【０００１】
本発明は、ネットワークを介した通信を利用する通信利用機能を実行する電子機器および表示制御プログラムに関する。
【背景技術】
【０００２】
従来、通信を利用する機能を実行する電子機器として、オプション装置との通信に異常が発生している場合に、オプション装置との通信を利用する機能の実行の指示のための操作を受け付ける制御ボタンを操作ができないグレーアウト状態でタッチパネルに表示させる画像形成装置が知られている（特許文献１参照。）。
【先行技術文献】
【特許文献】
【０００３】
【特許文献１】特開２００９−２３６９４７号公報
【発明の概要】
【発明が解決しようとする課題】
【０００４】
しかしながら、特許文献１に記載されている画像形成装置においては、オプション装置との通信に異常が発生しているか否かを実際にオプション装置との通信を実行して確認するので、オプション装置との通信に異常が発生している場合に、オプション装置との通信に異常が発生している原因を利用者に認識させることが容易ではないという問題がある。すなわち、特許文献１に記載されている画像形成装置においては、オプション装置との通信に異常が発生している原因が、画像形成装置内の通信設定というソフトウェア的な原因であるのか、画像形成装置内の通信設定に依存しない例えば通信ケーブルが外れているなどのハードウェア的な原因であるのかを利用者に認識させることが容易ではないという問題がある。
【０００５】
そこで、本発明は、ネットワーク接続の異常の原因を利用者に認識させることを容易化することができる電子機器および表示制御プログラムを提供することを目的とする。
【課題を解決するための手段】
【０００６】
本発明の電子機器は、表示部と、通信部とを備える電子機器であって、前記通信部によるネットワークを介した通信を利用する通信利用機能の実行の指示のための操作を受け付ける通信利用機能実行用画像を前記表示部に表示させる表示制御手段と、前記電子機器内のネットワーク設定に依存しないネットワーク接続である設定非依存接続の確立の可否を検出する接続検出手段とを備え、前記表示制御手段は、前記設定非依存接続の確立ができていないことが前記接続検出手段によって検出された場合、操作ができない状態の前記通信利用機能実行用画像を前記表示部に表示させることを特徴とする。
【０００７】
この構成により、本発明の電子機器は、設定非依存接続の確立ができていない場合に、通信部によるネットワークを介した通信を利用する通信利用機能の実行の指示のための操作を受け付ける通信利用機能実行用画像を操作ができない状態で表示部に表示させるので、設定非依存接続の確立ができていないということを、操作ができない状態の通信利用機能実行用画像の表示部への表示によって利用者に認識させることができるので、ネットワーク接続の異常の原因を利用者に認識させることを容易化することができる。
【０００８】
また、本発明の電子機器は、前記電子機器の起動を停止する起動停止手段を備え、前記起動停止手段は、前記電子機器の起動中に前記設定非依存接続の確立ができていないことが前記接続検出手段によって検出された場合に、前記設定非依存接続の確立ができたことが前記接続検出手段によって検出されるまで、前記起動を停止しても良い。
【０００９】
この構成により、本発明の電子機器は、ネットワーク接続の確立ができていない場合に、ネットワーク接続の確立ができるまで、電子機器の起動を停止するので、ネットワーク接続の確立ができていない場合の通信利用機能の実行によってエラーが発生することを防止することができる。
【００１０】
また、本発明の電子機器において、前記設定非依存接続は、ＯＳＩ（Ｏｐｅｎ  Ｓｙｓｔｅｍｓ  Ｉｎｔｅｒｃｏｎｎｅｃｔｉｏｎ）参照モデルの第４層以下の接続であっても良い。
【００１１】
この構成により、本発明の電子機器は、ＯＳＩ参照モデルの第４層以下の接続の確立ができていない場合に、通信利用機能の実行の指示のための操作を受け付ける通信利用機能実行用画像を操作ができない状態で表示部に表示させるので、ＯＳＩ参照モデルの第４層以下の接続の確立ができていないということを、操作ができない状態の通信利用機能実行用画像の表示部への表示によって利用者に認識させることができる。
【００１２】
また、本発明の表示制御プログラムは、表示部と、通信部とを備える電子機器によって実行される表示制御プログラムであって、前記通信部によるネットワークを介した通信を利用する通信利用機能の実行の指示のための操作を受け付ける通信利用機能実行用画像を前記表示部に表示させる表示制御手段、および、前記電子機器内のネットワーク設定に依存しないネットワーク接続である設定非依存接続の確立の可否を検出する接続検出手段として前記電子機器を機能させ、前記表示制御手段は、前記設定非依存接続の確立ができていないことが前記接続検出手段によって検出された場合、操作ができない状態の前記通信利用機能実行用画像を前記表示部に表示させることを特徴とする。
【００１３】
この構成により、本発明の表示制御プログラムは、設定非依存接続の確立ができていない場合に、通信部によるネットワークを介した通信を利用する通信利用機能の実行の指示のための操作を受け付ける通信利用機能実行用画像を操作ができない状態で表示部に表示させるので、設定非依存接続の確立ができていないということを、操作ができない状態の通信利用機能実行用画像の表示部への表示によって利用者に認識させることができるので、ネットワーク接続の異常の原因を利用者に認識させることを容易化することができる。
【発明の効果】
【００１４】
本発明の電子機器および表示制御プログラムは、ネットワーク接続の異常の原因を利用者に認識させることを容易化することができる。
【図面の簡単な説明】
【００１５】
【図１】本発明の一実施の形態に係るＭＦＰのブロック図である。
【図２】起動時の図１に示すＭＦＰの動作のフローチャートである。
【図３】図１に示す表示部に表示される警告画面の一例を示す図である。
【図４】設定非依存接続の確立の可否を検出する場合の図１に示すＭＦＰの動作のフローチャートである。
【図５】表示部に画面を表示する場合の図１に示すＭＦＰの動作のフローチャートである。
【図６】各種のボタンを操作ができる状態で図１に示す表示部に表示させる画面の一例を示す図である。
【図７】ＯＫボタンをグレーアウト状態で図１に示す表示部に表示させる画面の一例を示す図である。
【発明を実施するための形態】
【００１６】
以下、本発明の一実施の形態について、図面を用いて説明する。
【００１７】
まず、本実施の形態に係る電子機器としてのＭＦＰ（Ｍｕｌｔｉｆｕｎｃｔｉｏｎ  Ｐｅｒｉｐｈｅｒａｌ）１０の構成について説明する。
【００１８】
図１は、本実施の形態に係るＭＦＰ１０のブロック図である。
【００１９】
図１に示すように、ＭＦＰ１０は、利用者による種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信するネットワーク通信デバイスである本発明の通信部としてのネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶装置である記憶部１７と、ＭＦＰ１０全体を制御する制御部１８とを備えている。
【００２０】
操作部１１は、表示部１２とともにタッチパネルを形成する入力デバイスを含んでいても良い。
【００２１】
記憶部１７は、表示制御プログラム１７ａを記憶している。表示制御プログラム１７ａは、ＭＦＰ１０の製造段階でＭＦＰ１０にインストールされていても良いし、ＵＳＢ（Ｕｎｉｖｅｒｓａｌ  Ｓｅｒｉａｌ  Ｂｕｓ）メモリー、ＳＤカードなどの記憶媒体からＭＦＰ１０に追加でインストールされても良いし、ネットワーク上からＭＦＰ１０に追加でインストールされても良い。
【００２２】
記憶部１７は、ネットワーク通信部１６によるネットワークを介した通信を利用する通信利用機能の実行の指示のための操作を受け付ける本発明の通信利用機能実行用画像としての通信利用機能実行ボタンの種類を管理するボタン管理情報１７ｂを記憶している。
【００２３】
記憶部１７は、ＭＦＰ１０内のネットワーク設定に依存しないネットワーク接続である設定非依存接続の確立ができていない場合に通信利用機能実行ボタンを操作ができない状態、すなわち、グレーアウト状態で表示部１２に表示させる接続不確立時グレーアウト機能を実行するか否かを示すグレーアウト機能設定情報１７ｃを記憶することが可能である。グレーアウト機能設定情報１７ｃは、接続不確立時グレーアウト機能を実行することを示す「ON」と、接続不確立時グレーアウト機能を実行しないことを示す「OFF」との何れかを示す値を有する。グレーアウト機能設定情報１７ｃは、例えば操作部１１を介して変更されることが可能である。
【００２４】
記憶部１７は、設定非依存接続の確立ができていない場合にＭＦＰ１０の起動を停止するか否かを示す起動停止設定情報１７ｄを記憶することが可能である。起動停止設定情報１７ｄは、ＭＦＰ１０の起動を停止することを示す「ON」と、ＭＦＰ１０の起動を停止しないことを示す「OFF」との何れかを示す値を有する。起動停止設定情報１７ｄは、例えば操作部１１を介して変更されることが可能である。
【００２５】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行するようになっている。
【００２６】
制御部１８は、記憶部１７に記憶されている表示制御プログラム１７ａを実行することによって、通信利用機能実行ボタンを表示部１２に表示させる表示制御手段１８ａ、設定非依存接続の確立の可否を検出する接続検出手段１８ｂ、および、ＭＦＰ１０の起動を停止する起動停止手段１８ｃとして機能する。
【００２７】
ここで、設定非依存接続は、ＯＳＩ（Ｏｐｅｎ  Ｓｙｓｔｅｍｓ  Ｉｎｔｅｒｃｏｎｎｅｃｔｉｏｎ）参照モデルの第４層以下の接続である。
【００２８】
次に、ＭＦＰ１０の動作について説明する。
【００２９】
まず、起動時のＭＦＰ１０の動作について説明する。
【００３０】
ＭＦＰ１０は、起動される場合に、図２に示す動作を実行する。
【００３１】
図２は、起動時のＭＦＰ１０の動作のフローチャートである。
【００３２】
図２に示すように、ＭＦＰ１０の制御部１８の接続検出手段１８ｂは、グレーアウト機能設定情報１７ｃの値が「ON」を示すか否かを判断する（Ｓ１０１）。
【００３３】
接続検出手段１８ｂは、グレーアウト機能設定情報１７ｃの値が「ON」を示さないとＳ１０１において判断すると、図２に示す動作を終了する。
【００３４】
接続検出手段１８ｂは、グレーアウト機能設定情報１７ｃの値が「ON」を示すとＳ１０１において判断すると、設定非依存接続の確立の可否を検出した後（Ｓ１０２）、設定非依存接続の確立の可否の検出結果をＲＡＭに記憶する（Ｓ１０３）。
【００３５】
次いで、制御部１８の起動停止手段１８ｃは、起動停止設定情報１７ｄの値が「ON」を示すか否かを判断する（Ｓ１０４）。
【００３６】
起動停止手段１８ｃは、起動停止設定情報１７ｄの値が「ON」を示さないとＳ１０４において判断すると、図２に示す動作を終了する。
【００３７】
起動停止手段１８ｃは、起動停止設定情報１７ｄの値が「ON」を示すとＳ１０４において判断すると、ＲＡＭに記憶されている設定非依存接続の確立の可否の検出結果に基づいて、設定非依存接続の確立ができているか否かを判断する（Ｓ１０５）。
【００３８】
起動停止手段１８ｃは、設定非依存接続の確立ができているとＳ１０５において判断すると、図２に示す動作を終了する。
【００３９】
起動停止手段１８ｃは、設定非依存接続の確立ができていないとＳ１０５において判断すると、図３に示す警告画面２０を表示部１２に表示させた後（Ｓ１０６）、ＭＦＰ１０の起動を停止する（Ｓ１０７）。
【００４０】
次いで、接続検出手段１８ｂは、設定非依存接続の確立の可否を検出した後（Ｓ１０８）、設定非依存接続の確立の可否の検出結果をＲＡＭに記憶する（Ｓ１０９）。
【００４１】
次いで、起動停止手段１８ｃは、ＲＡＭに記憶されている設定非依存接続の確立の可否の検出結果に基づいて、設定非依存接続の確立ができているか否かを判断する（Ｓ１１０）。
【００４２】
接続検出手段１８ｂは、設定非依存接続の確立ができていないとＳ１１０において判断されると、再びＳ１０８の処理を実行する。
【００４３】
起動停止手段１８ｃは、設定非依存接続の確立ができているとＳ１１０において判断すると、ＭＦＰ１０の起動の停止を解除して（Ｓ１１１）、図２に示す動作を終了する。
【００４４】
次に、設定非依存接続の確立の可否を検出する場合のＭＦＰ１０の動作について説明する。
【００４５】
図４は、設定非依存接続の確立の可否を検出する場合のＭＦＰ１０の動作のフローチャートである。
【００４６】
ＭＦＰ１０は、ＭＦＰ１０が起動された後、特定のタイミングで図４に示す動作を繰り返し実行する。例えば、ＭＦＰ１０は、数秒毎など、特定の周期で図４に示す動作を実行するようになっていても良い。
【００４７】
図４に示すように、接続検出手段１８ｂは、設定非依存接続の確立の可否を検出した後（Ｓ１３１）、設定非依存接続の確立の可否の検出結果をＲＡＭに記憶して（Ｓ１３２）、図４に示す動作を終了する。
【００４８】
次に、表示部１２に画面を表示する場合のＭＦＰ１０の動作について説明する。
【００４９】
図５は、表示部１２に画面を表示する場合のＭＦＰ１０の動作のフローチャートである。
【００５０】
ＭＦＰ１０は、ＭＦＰ１０が起動された後、特定のタイミングで図５に示す動作を繰り返し実行する。例えば、ＭＦＰ１０は、表示部１２に表示される画面を切り替える時点だけでなく、数秒毎など、特定の周期でも図５に示す動作を実行するようになっていても良い。
【００５１】
図５に示すように、制御部１８の表示制御手段１８ａは、グレーアウト機能設定情報１７ｃの値が「ON」を示すか否かを判断する（Ｓ１６１）。
【００５２】
表示制御手段１８ａは、グレーアウト機能設定情報１７ｃの値が「ON」を示すとＳ１６１において判断すると、ＲＡＭに記憶されている設定非依存接続の確立の可否の検出結果に基づいて、設定非依存接続の確立ができているか否かを判断する（Ｓ１６２）。
【００５３】
表示制御手段１８ａは、設定非依存接続の確立ができていないとＳ１６２において判断すると、表示部１２に表示する画像に通信利用機能実行ボタンが含まれているか否かを、表示部１２に表示する画像に含まれているボタンの情報と、ボタン管理情報１７ｂとに基づいて判断する（Ｓ１６３）。
【００５４】
表示制御手段１８ａは、（ｉ）グレーアウト機能設定情報１７ｃの値が「ON」を示さないとＳ１６１において判断するか、（ｉｉ）設定非依存接続の確立ができているとＳ１６２において判断するか、（ｉｉｉ）通信利用機能実行ボタンが含まれていないとＳ１６３において判断すると、図６に示すように各種のボタンを操作ができる状態で表示部１２に表示させる通常表示を実行し（Ｓ１６４）、図５に示す動作を終了する。
【００５５】
図６は、各種のボタンを操作ができる状態で表示部１２に表示させる画面３０の一例を示す図である。
【００５６】
図６に示す画面３０は、スキャナー１３によって原稿から画像を読み取って、その画像をネットワーク通信部１６を介してＦＴＰ（Ｆｉｌｅ  Ｔｒａｎｓｆｅｒ  Ｐｒｏｔｏｃｏｌ）で送信する「Scan to FTP」機能の実行の指示のための操作を受け付けるＯＫボタン３１と、「Scan to FTP」機能を実行しないことを指示するための操作を受け付けるＣａｎｃｅｌボタン３２とを含んでいる。ここで、「Scan to FTP」機能は、本発明の通信利用機能の一例であり、ＯＫボタン３１は、通信利用機能実行ボタンの一例である。
【００５７】
図５に示すように、表示制御手段１８ａは、通信利用機能実行ボタンが含まれているとＳ１６３において判断すると、図７に示すように通信利用機能実行ボタンをグレーアウト状態で表示部１２に表示させて（Ｓ１６５）、図５に示す動作を終了する。
【００５８】
図７は、ＯＫボタン３１をグレーアウト状態で表示部１２に表示させる画面３０の一例を示す図である。
【００５９】
図７に示す画面３０は、図６に示す画面３０と異なり、ＯＫボタン３１がグレーアウト状態で表示されている。
【００６０】
なお、上述したように、ＭＦＰ１０は、図４に示す動作と、図５に示す動作とをそれぞれ特定のタイミングで繰り返し実行する。このため、ＭＦＰ１０は、通常表示を実行している（Ｓ１６４）場合であっても、設定非依存接続の確立ができない状態になれば、通信利用機能実行ボタンをグレーアウト状態で表示部１２に表示させる（Ｓ１６５）ことができる。また、ＭＦＰ１０は、通信利用機能実行ボタンをグレーアウト状態で表示部１２に表示させている（Ｓ１６５）場合であっても、設定非依存接続の確立ができる状態になれば、通常表示を実行する（Ｓ１６４）ことができる。
【００６１】
以上に説明したように、ＭＦＰ１０は、設定非依存接続の確立ができていない場合に（Ｓ１６２でＮＯ）、通信利用機能実行ボタンをグレーアウト状態で表示部１２に表示させる（Ｓ１６５）ので、通信利用機能の利用が可能な状態ではないことを利用者に容易に認識させることができ、利便性を向上することができる。
【００６２】
また、ＭＦＰ１０は、設定非依存接続の確立ができていない場合に、通信利用機能実行ボタンをグレーアウト状態で表示部１２に表示させるので、設定非依存接続の確立ができていないということを、グレーアウト状態の通信利用機能実行ボタンの表示部１２への表示によって利用者に認識させることができる。このため、ＭＦＰ１０は、ネットワーク接続の異常の原因を利用者に認識させることを容易化することができる。特に、ＭＦＰ１０は、ＯＳＩ参照モデルの第４層以下の接続の確立ができていない場合に、通信利用機能実行ボタンをグレーアウト状態で表示部１２に表示させるので、ＯＳＩ参照モデルの第４層以下の接続の確立ができていないということを、グレーアウト状態の通信利用機能実行ボタンの表示部１２への表示によって利用者に認識させることができる。
【００６３】
例えば、ＭＦＰ１０は、ネットワーク通信部１６に接続されているべきケーブルが外れている場合には、図７に示すように通信利用機能実行ボタンをグレーアウト状態で表示部１２に表示させる。一方、ＭＦＰ１０は、ＦＴＰサーバー名やパスワードが設定されていないなどのようにネットワーク設定のみに不備がある場合には、図６に示すように通信利用機能実行ボタンを操作ができる状態で表示部１２に表示させる。
【００６４】
なお、ＭＦＰ１０は、ネットワーク設定のみに不備がある場合や、設定非依存接続の確立ができていない状態であってもグレーアウト機能設定情報１７ｃの値が「ON」を示さない場合、通信利用機能実行ボタンが操作されたとしても実際にはネットワーク接続が確立できないので、通信利用機能を実行することはない。ＭＦＰ１０は、通信利用機能実行ボタンが操作された場合に通信利用機能を実行することができないとき、ネットワーク通信部１６を介して送信する予定のデータを記憶部１７に蓄積しておき、これらのデータをネットワーク接続が確立できた後で送信するようになっていても良い。もちろん、ＭＦＰ１０は、通信利用機能実行ボタンが操作された場合に通信利用機能を実行することができないとき、ネットワーク通信部１６を介して送信する予定のデータを記憶部１７に蓄積しないようになっていても良い。
【００６５】
また、ＭＦＰ１０は、ネットワーク接続の確立ができていない場合（Ｓ１０５でＮＯ）に、ネットワーク接続の確立ができるまで（Ｓ１１０でＹＥＳ）、ＭＦＰ１０の起動を停止する（Ｓ１０７）ので、ネットワーク接続の確立ができていない場合の通信利用機能の実行によってエラーが発生することを防止することができる。
【００６６】
なお、本発明の電子機器は、本実施の形態において、ＭＦＰであるが、プリンター専用機、コピー専用機、ＦＡＸ専用機など、ＭＦＰ以外の画像形成装置であっても良いし、画像形成装置以外の電子機器であっても良い。
【符号の説明】
【００６７】
１０  ＭＦＰ（電子機器）
１２  表示部
１６  ネットワーク通信部（通信部）
１７ａ  表示制御プログラム
１８ａ  表示制御手段
１８ｂ  接続検出手段
１８ｃ  起動停止手段
３１  ＯＫボタン（通信利用機能実行用画像）
【図１】
2014236359.tif 000003
【図２】
2014236359.tif 000004
【図３】
2014236359.tif 000005
【図４】
2014236359.tif 000006
【図５】
2014236359.tif 000007
【図６】
2014236359.tif 000008
【図７】
2014236359.tif 000009